(57)【要約】【課題】  フラッグやフリップとしたり音を発したり声を出したりすることが出来るような、応援のための主要な幾つもの機能を兼ね備えた全く新しい応援用具を提供することを課題とする。【解決手段】  シート状や吹き流し状などのフラッグの両側に、少なくとも片側がメガホンである２本の打撃可能なフラッグ取付体が設けられている、応援用のフラッグメガホンとした。なお２本のフラッグ取付体が共にメガホンであるものとしても良い。本発明はフラッグやフリップとして、また打撃応援具やメガホンとして使用することが出来る。【選択図】図３
2008264475.tif 000002
【特許請求の範囲】
【請求項１】
シート状や吹き流し状などのフラッグの両側に、少なくとも片側がメガホンである２本の打撃可能なフラッグ取付体が設けられていることを特徴とする、応援用のフラッグメガホン。
【請求項２】
フラッグに取付紐が取り付けられており、フラッグ取付体に前記紐の通し孔が設けられており、この通し孔にフラッグの取付紐を通して止めることによりフラッグがフラッグ取付体に取り付けられている、請求項１に記載の応援用のフラッグメガホン。
【請求項３】
フラッグとフラッグ取付体との間にフラッグ取付体を握る手の指が入るスペースが設けられている、請求項１に記載の応援用のフラッグメガホン。
【請求項４】
２本のフラッグ取付体を一体化するための連結手段が設けられている、請求項１に記載の応援用のフラッグメガホン。
【請求項５】
フラッグの少なくとも一部分が汗を拭くのに都合の良いタオル地で構成されている、請求項１に記載の応援用のフラッグメガホン。
【請求項６】
フラッグに貼付するためのステッカーが組み合わされたものである、請求項１に記載の応援用のフラッグメガホン。
【請求項７】
２本のフラッグ取付体が共にメガホンである、請求項１乃至請求項６の何れか１に記載の応援用のフラッグメガホン。
【発明の詳細な説明】
【技術分野】
【０００１】  この発明はスポーツなどの応援に用いて、フラッグとしてもメガホンとしても使用することが出来、また叩き合わせて打撃音を発生させることが可能な、応援用のフラッグメガホンに関するものである。
【背景技術】
【０００２】  これまでスポーツ観戦にあっては、大声を出しての声援や、太鼓などの打楽器を叩くことや、フリップを掲げたり旗を振ることなどが行われて来た。またこのために用いるさまざまな応援用具が提案されて来た。【０００３】  特開平９−１９７９９４は応援用フラッグであるが、フラッグにユニフォームの絵模様を施し、この絵模様の構成に従ってユニフォームの腕部をその先から脇の下まで切り込んで身頃部から分離したものである。これによりフラッグを空中に翻した際の動きに今までにない動きを生じさせることが出来ると言う。【０００４】  また特開２００３−２３６２６２は応援具の発明であり、バットを模した形状の中空の応援棒の頭部に開口部を形成し、応援棒の内部に紐に繋れたフラッグを納めて、紐の端部を応援棒の底部に形成した紐用開口部より引き出したものである。そしてバットを振ると応援棒の頭部の開口部からフラッグが飛び出し、これを振って応援することが出来、紐の端部を引くとフラッグが応援棒の内部に仕舞われるようになっている。これによりフラッグの取り扱いが容易で、疲れを感じず、フラッグの紛失が防止され、フラッグの収納により保管と持ち運びが容易になると言う。
【特許文献１】特開平９−１９７９９４
【特許文献２】特開２００３−２３６２６２
【発明の開示】
【発明が解決しようとする課題】
【０００５】  確かに上述した応援具は何れもフラッグそのものとしては新規で面白みがあるものの、単にフラッグを振ることが出来るだけであって、他に何等の応援の役に立つものではない。【０００６】  そこでこの発明は上述したような問題点を解決して、振って応援するフラッグとしての使用が可能であるのみならず、フリップとしたり、打撃音を発したり、声援を拡大したりすることが出来るような、まさに応援のための主要な幾つもの機能を兼ね備えた、全く新しい応援用具の提供を課題とする。
【課題を解決するための手段】
【０００７】  上記課題は、シート状や吹き流し状のフラッグの両側に、少なくとも片側がメガホンである２本の打撃可能なフラッグ取付体が設けられていることを特徴とする、応援用のフラッグメガホンとすることによって達成される。なお別途首から下げるための紐を付けても良いが、フラッグ部分をこの紐の代用とする場合もある。【０００８】  先ず２本のフラッグ取付体を両手で持って左右いっぱいに広げると、フラッグをフリップとして使用することが出来る。フリップには応援する球団のマークなどを描いておくことが出来る。また後から好みのステッカーなどを貼り付けることが出来る。あるいはフリップを白色や球団カラーにしておき、サインペンなどで応援の言葉を記入することが出来るようにしても良い。またフラッグを透明なビニールシートなどで構成してここに文字を書くようにしても面白い。【０００９】  次に２本のフラッグ取付体を束ねて握ると、フラッグは２つ折りのような状態となるため、いわゆる手旗として振って応援することが出来る。【００１０】  また２本のフラッグ取付体は打撃可能であるから、互いに叩き合うことでいわゆる拍子木として打撃音を発生し、応援に供することが出来る。【００１１】  また２本のフラッグ取付体の少なくとも１本はメガホンであるため、吹口部に口を当てて声援すればこれが拡声され、より大きな声援を送ることが出来る。【００１２】  ところで本発明に於いては、フラッグに取付紐が取り付けられており、フラッグ取付体に紐通し孔が設けられており、この紐通し孔にフラッグの取付紐を通して止めることによって、フラッグがフラッグ取付体に取り付けられているものとしても良い。この構成によれば、製造が容易であると共に手旗や横断幕としてのイメージが強いものとすることが出来る。【００１３】  またフラッグとフラッグ取付体との間に、フラッグ取付体を握る手の指が入るスペースが設けられているものとしても良い。フラッグの両端辺でフラッグ取付体を巻き込むようにして両者を一体にすると、フラッグの大きさにもよるがフラッグ取付を握ると言うよりは持つと言う感じになる。これはこれで良いのであるが、フラッグを広げ持った状態のまま２本のフラッグ取付体を叩き合うような時には、フラッグ取付体をしっかりと握り込める方がより力を入れやすいものである。そこで手の指が入るスペースを設けると良い。これはフラッグ取付体に設けることも出来れば、フラッグそのものに設けることも出来る。あるいはフラッグとフラッグ取付体との間に設けることも可能であり、上述した取付紐による取り付け方法はこの一例となる。【００１４】  また２本のフラッグ取付体を一体化するための連結手段が設けられているものとしても良い。この連結手段によってフラッグ取付体を１本にまとめて固定すると、上述したように手旗として振って応援する場合に持ちやすいし、運搬や収納にも便利である。【００１５】  またフラッグの少なくとも一部分が汗を拭くのに都合の良いタオル地で構成されているものとしても良い。これによればフラッグのその部位に汗拭きタオルとしての用途が生ずる。このような用途を主目的の一つとするのであれば、タオル地でフラッグの全体を構成すれば良い。【００１６】  またフラッグ���貼付するためのステッカーがこの応援用のフラッグメガホンに組み合わされたものとしても良い。観戦者にはフラッグにステッカーを貼る楽しみを与えることが出来る。これはまた観戦記念の品ともなる。【００１７】  なお上記の何れの構成にあっても、２本のフラッグ取付体が共にメガホンであるものとすることが出来る。どちらのメガホンを使って声援を送っても良い点が特長である。１本だけがメガホンである場合、特に２本のフラッグ取付体の形状を同一にしてその内の１本だけがメガホンである場合には、どちらがメガホンであるかに気を遣うこともあり、これが煩わしいとするのであれば、両方共にメガホンにしてしまえば問題はない。なおメガホンが２本であればこれを二人で同時に使用することも可能である。また上述した連結手段が備わっているものでは、これによって２本のメガホンを１本に束ねることが出来て、いわゆるダブルメガホンのように見せることが可能である。なお２本のメガホンを叩き合わせることも自由に行ない得る。【００１８】  この他２本のフラッグ取付体の一方をメガホン構造として他方を中空の閉じた構造とするなども任意に設計可能である。
【発明の効果】
【００１９】  この発明によれば振って応援するフラッグとしての使用が可能であるのみならず、２本の打撃可能なフラッグ取付体を持って左右に開くことでフラッグを広げてフリップとして応援することが出来る。またフラッグ取付体を叩き合うことで打撃音による応援が可能である。またフラッグ取付体のメガホンを用いて声援を拡大することが出来る。なお２本のフラッグ取付体を束ねてフラッグを巻き取れば収納や運搬が容易となる。この発明は応援のための主要な幾つもの機能を兼ね備えた全く新しい応援用具とすることに成功している。
【発明を実施するための最良の形態】
【００２０】  以下この発明の実施形態を図面を参照しつつ説明するが、この発明はこれ等の実施形態にのみ限定されるものではなく、各種のバリエーションを与えることが出来る。また何れの実施形態に於いてもフラッグを吹き流し状のフラッグに置き換える構成が可能である。【００２１】  第１実施形態
図１はこの実施形態を正面図で示したものである。２本の打撃可能なフラッグ取付体として合成樹脂製のメガホン２と中空棒３とを用い、この間にフラッグ１を張り渡して成る応援用のフラッグメガホンである。メガホン２は握り部２０の両端に拡声筒２１と吹き口２２とを形成したものであり、握り部２０の両端付近には後述する筒通し１０が移動しないようにするためのリブ２３が設けられている。なお握り部２０の吹き口２２の近傍には、本品を首から吊すための紐を通す通し孔２４が開孔されている。合成樹脂製の中空棒３は握りやすい直径の中空体であり、その前方部分が打撃部３０となっている。またメガホン２の前記握り部２０に相当する中空棒３の部位には、同様に後述する筒通し１０が移動しないようにするためのリブ３１が設けられている。同様に紐を通す通し孔３２が開孔されている。さて布製のフラッグ１であるが、この４隅には同一素材のループ状の筒通し１０が設けられており、この筒通し１０によってフラッグ１の一側が前記メガホン２の握り部２０に通されてリベット１１で止められ、フラッグ１の他側が前記中空棒３に通されリベット１１止めされて、応援用のフラッグメガホンが形成されている。【００２２】  本品は収納時や運搬時には、フラッグ１を中空棒３に巻いたり、あるいはメガホン２と中空棒３とを束ねてからフラッグ１を巻くようにする。そして応援時にはメガホン２の握り部２０と中空棒３を持って、フラッグ１をいっぱいに広げて掲げるようにするのである。前記メガホン２の拡声筒２１はまた打撃部でもあるから、ここを中空棒３の打撃部３０と打ち合わせるようにして打撃音を発生させることが出来る。中空棒３はソフトであるが良い音を出す。また前記メガホン２の吹き口２２を口に当てて声援すると、この声は拡声筒２２の開口部から拡大して発せられることになる。【００２３】  第２実施形態
図２はこの実施形態を正面図で表わしたものである。打撃可能なフラッグ取付体として２本の合成樹脂製のメガホン５を用い、この間にタオル地のフラッグ４を張り渡して成る応援用のフラッグメガホンである。メガホン５は握り部５０の両端に拡声筒５１と吹き口５２とを形成したものである。また握り部５０の両端付近には後述するチェーン４２を通すための通し孔５３が開孔されている。なお前記吹き口５２には本品を首から吊すための紐を通す通し孔５４が開孔されている。次にフラッグ４にはその両端に補強のための折り返し辺４０が形成されておりこの４隅に通し孔４１が開孔されている。この通し孔４１の各々に取付紐としてのチェーン４２が通され、これを以てメガホン５側の通し孔５３に通すようにしてメガホンにフラッグ４を取り付けて成る。【００２４】  本品によれば２本ツインのメガホン５を叩き合わせることで打撃音を発生することが出来るし、また何れのメガホン５でも声援を拡声することが出来る。２本のメガホン５を左右いっぱいに張ればフリップに成る。なおフラッグ４はタオル地から作られたものであるため、フラッグ４部分を用いて首から下げる紐のような使い方をした場合でも首の汗を吸収してくれるため気持ちが良い。この意味ではフラッグ４部分を汗拭きとして使用することが可能である。【００２５】  第３実施形態
図３はこの実施形態を正面図で表わしたものである。打撃可能なフラッグ取付体として２本の合成樹脂製のメガホン７を用いているが、このメガホン７はその胴の部分を恰もスペース７４でくり抜くかのようにして握り部７０と巻き取り部７３とを形成している点に特徴を有する。このスペース７４に指を通すようにして握り部７０を握るようにする。なお握り部７０の両端には拡声筒７１と吹き口７２とが設けられている。このような２本のメガホン７の間にビニールシート製のフラッグ６を張り渡して応援用のフラッグメガホンを構成するが、フラッグ６はその両端にループ状の筒通し６０が形成されており、この筒通し６０によってフラッグ６の両端が前記メガホン７の巻き取り部７３に緩く通されている。なお本品にはステッカー６１が付属しており、ステッカー６１はその裏面に図示しない粘着材と剥離紙が設けられたものであるが、図３では剥離紙が剥離されて粘着材を以てフラッグ６に貼り付けられている状態が表わされている。【００２６】  本品の特徴はスペース７４に指を通すようにして握り部７０を握り、メガホン７を左右に開いてビニールシート製のフラッグ６を張る点にある。このようであるからメガホン７が非常に握りやすいものとなっている。なおこの実施形態では専用のスペース７４を設けているが、これに相当するものとしては上述した第１実施形態のフラッグ１や第２実施形態のフラッグ４の両側に出来る隙間を上げることが出来る。またこの実施形態ではステッカー６１をセットにして、利用者にフラッグ６に貼らせるようにしている点も特徴である。また収納時や運搬時にはフラッグ６を前記巻き取り部７３に巻き取るようにすることが可能である。【００２７】  第４実施形態
図４はこの実施形態を正面図で表わしたものである。打撃可能なフラッグ取付体として２本の合成樹脂製のメガホン９を用い、この間にビニールシートによるフラッグ８を張り渡して成る応援用のフラッグメガホンである。メガホン９は握り部９０の両端に拡声筒９１と吹き口９２とを形成したものである。また吹き口９２に本品を首から吊すための紐を通すための通し孔９３を開孔して成る。またこの実施形態の特徴として２本のメガホン９の一側の拡声筒９１に凸接続具９４を設け、他側の拡声筒９１に凹接続具９５を設けている点を上げる。この連結手段としての凸接続具９４と凹接続具９５とは、互いに填り合うように設計されている。さてこのような２本のメガホン９に、フラッグ８の両端を巻き付けるようにしてフラッグ８を固定する。【００２８】  図４では２本のメガホン９を前記凸接続具９４と凹接続具９５とで一体化した状態が表わされている。本品はこの状態で収納したり運搬したり、このまま上述したダブルメガホンのように使用することが出来る。もちろん２本のメガホン９を打撃し合ったり、これを掲げ持ちフラッグ８をフリップにして声援を送ることも可能である。
【産業上の利用可能性】
【００２９】  本発明ではフラッグを着脱取替自在とする設計が可能である。またフラッグを長いものにしたり、長いものと取り替えることが出来るようにすれば、複数人で応援する際の横断幕的な使い方が可能となる。【００３０】  また所望ならば上述した第１実施形態の中空棒３の両端部分を開放して、ここに合成樹脂製などのレンズを填め込んだ望遠鏡とする構成も可能である。
【図面の簡単な説明】
【００３１】
【図１】  第１実施形態の正面図である。
【図２】  第２実施形態の正面図である。
【図３】  第３実施形態の正面図である。
【図４】  第４実施形態の正面図である。
【符号の説明】
【００３２】  １    フラッグ      １０  筒通し        １１  リベット
２    メガホン      ２０  握り部        ２１  拡声筒
２２  吹き口        ２３  リブ          ２４  通し孔
３    中空棒        ３０  打撃部        ３１  リブ
３２  通し孔
４    フラッグ      ４０  折り返し辺    ４１  通し孔
４２  チェーン
５    メガホン      ５０  握り部        ５１  拡声筒
５２  吹き口        ５３  通し孔        ５４  通し孔
６    フラッグ      ６０  筒通し        ６１  ステッカー
７    メガホン      ７０  握り部        ７１  拡声筒
７２  吹き口        ７３  巻き取り部    ７４  スペース
８    フラッグ
９    メガホン      ９０  握り部        ９１  拡声筒
９２  吹き口        ９３  通し孔        ９４  凸接続具
９５  凹接続具
【図１】
2008264475.tif 000003
【図２】
2008264475.tif 000004
【図３】
2008264475.tif 000005
【図４】
2008264475.tif 000006